(57)【要約】      （修正有）【課題】複数の筒部を備える場合において、テープ巻きの作業性を向上させることが可能なグロメットを提供する。【解決手段】グロメット１は、ワイヤーハーネスが挿通されると共に、車両パネルに形成された貫通孔に対して挿入固定されるものであって、ワイヤーハーネスを挿通するための複数の縮径筒部１２を備え、複数の縮径筒部１２は、当該複数の縮径筒部１２を収束させた場合に、筒軸に沿って平面視したときの外形状が略円形とされ、複数の縮径筒部１２それぞれは、隣接する他の縮径筒部１２側の側面に、他の縮径筒部１２に向かう方向に略直交する平面１２ａを有する。【選択図】図２
2019121583.tif 000002
【特許請求の範囲】
【請求項１】
ワイヤーハーネスが挿通されると共に、車両パネルに形成された貫通孔に対して挿入固定されるグロメットであって、
前記ワイヤーハーネスを挿通するための複数の筒部を備え、
前記複数の筒部は、当該複数の筒部を収束させた場合に、筒軸に沿って平面視したときの外形状が略円形とされ、
前記複数の筒部それぞれは、隣接する他の筒部側の側面に、前記他の筒部に向かう方向に略直交する平面を有する
ことを特徴とするグロメット。
【請求項２】
前記複数の筒部それぞれは、前記平面に筒軸方向に直交する方向に延在するリブを有する
ことを特徴とする請求項１に記載のグロメット。
【請求項３】
前記複数の筒部それぞれは、隣接する他の筒部側の側面に、筒軸方向に延在するリブを有する
ことを特徴とする請求項１に記載のグロメット。
【請求項４】
前記複数の筒部間の谷部は、側面視してＶ字状とされている
ことを特徴とする請求項１から請求項３のいずれか１項に記載のグロメット。
【発明の詳細な説明】
【技術分野】
【０００１】
本発明は、グロメットに関する。
【背景技術】
【０００２】
従来、ワイヤーハーネスが挿通されると共に、車両パネルに形成された貫通孔に対して挿入固定されるグロメットが知られている。このようなグロメットには、ワイヤーハーネスを挿通するための筒部を２つ備えたものも提案されている（例えば特許文献１，２参照）。
【先行技術文献】
【特許文献】
【０００３】
【特許文献１】特開２０１３−１７３６７号公報
【特許文献２】特開平７−１０５７７５号公報
【発明の概要】
【発明が解決しようとする課題】
【０００４】
しかし、特許文献１，２に記載のグロメットは、テープ巻きが困難となってしまうものであった。図１０は、比較例に係るグロメットを示す斜視図である。図１０に示すように、筒部ＣＹに対して挿入されたワイヤーハーネスは筒部ＣＹと共にテープ巻きされる。しかし、図１０に示すように、複数の筒部ＣＹは形成位置の制約を受け、互いに隣接した位置に設けられる。このため、例えば一方の筒部ＣＹ１と当該筒部ＣＹ１に挿通されるワイヤーハーネスとをテープ巻きする際に、他方の筒部ＣＹ２とこれに挿通されるワイヤーハーネスとが邪魔になり易く、テープ巻きが困難となってしまう。
【０００５】
本発明は、このような問題を解決するためになされたものであり、その目的とするところは、複数の筒部を備える場合において、テープ巻きの作業性を向上させることが可能なグロメットを提供することにある。
【課題を解決するための手段】
【０００６】
本発明に係るグロメットは、ワイヤーハーネスが挿通されると共に、車両パネルに形成された貫通孔に対して挿入固定されるものである。このグロメットは、ワイヤーハーネスを挿通するための複数の筒部を備えている。複数の筒部は、収束させた場合に、筒軸に沿って平面視したときの外形状が略円形とされ、複数の筒部それぞれは、隣接する他の筒部側の側面に、他の筒部に向かう方向に略直交する平面を有する。
【発明の効果】
【０００７】
本発明によれば、複数の筒部は、当該複数の筒部を収束させた場合において、筒軸に沿って平面視したときの外形状が略円形とされ、隣接する他の筒部に向かう方向に略直交する平面を有するため、複数の筒部をまとめるようにして、複数の筒部ごとテープ巻きを行い易くなる。従って、複数の筒部を備える場合において、テープ巻きの作業性を向上させることが可能なグロメットを提供することができる。
【図面の簡単な説明】
【０００８】
【図１】第１実施形態に係るグロメットを示す側面図である。
【図２】第１実施形態に係るグロメットを示す分解斜視図である。
【図３】第１実施形態に係るグロメットを示す一部構成図である。
【図４】第１実施形態に係るグロメットを示す斜視図である。
【図５】第２実施形態に係るグロメットアウターを示す斜視図である。
【図６】第３実施形態に係るグロメットアウターを示す斜視図である。
【図７】第４実施形態に係るグロメットアウターを示す斜視図である。
【図８】縮径筒部が３つである場合の例を示す斜視図である。
【図９】縮径筒部が４つである場合の例を示す斜視図である。
【図１０】比較例に係るグロメットを示す斜視図である。
【発明を実施するための形態】
【０００９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾が発生しない範囲内において、適宜公知又は周知の技術が適用されていることはいうまでもない。
【００１０】
図１は、第１実施形態に係るグロメットを示す側面図であり、図２は、第１実施形態に係るグロメットを示す分解斜視図である。また、図３は、第１実施形態に係るグロメットを示す一部構成図である。
【００１１】
図１に示すように、第１実施形態に係るグロメット１は、車両パネルＰに形成された貫通孔ＴＨに対して挿入固定されるものであって、軟質のゴム部材によって構成されたグロメットアウター１０と、合成樹脂製で硬質のグロメットインナー２０とを備えている。グロメットインナー２０は、グロメットアウター１０の一方側から取り付けられて一体とされる。
【００１２】
グロメットアウター１０は、概略的に、大径筒部１１と、大径筒部１１の他方側に延びる複数（２つ）の縮径筒部（筒部）１２とを備えている。大径筒部１１は、図２に示すように、その他方側に底面１１ａを有し、一方側が開放された有底の筒部となっている。この大径筒部１１には、その筒内側に後述のフランジ２２が嵌まり込むためのフランジ嵌合溝（図示せず）が形成されている。また、大径筒部１１の一方側端部には、一方側に向かうに従ってやや拡径するリップ部１１ｂが形成されている。
【００１３】
縮径筒部１２は、ワイヤーハーネスが挿通される部位であり、ワイヤーハーネスと共にテープ巻きされるものである。
【００１４】
グロメットインナー２０は、略円筒状の部材であって、筒側面に３つのロック爪２１が設けられている（なお、図１及び図２では３つのうち１つ、図３では３つのうち２つだけが見える図示状態である）。このロック爪２１は車両パネルＰの貫通孔ＴＨにグロメット１を係止させるものである。
【００１５】
また、グロメットインナー２０は、図２に示すように、筒他方側の端部にフランジ２２を備えている。フランジ２２は、筒外側に向かって張り出す円環状の部材である。このフランジ２２は、グロメットインナー２０をグロメットアウター１０に取り付けた場合に、グロメットアウター１０のフランジ嵌合溝に嵌まり込むようになっている。
【００１６】
このようなグロメット１は、グロメットアウター１０とグロメットインナー２０とが組み付けられた状態で貫通孔ＴＨの他方側から一方側に挿入される。この際、図３に示すロック爪２１の傾斜部２１ａが貫通孔ＴＨに当接しながら弾性変形し、貫通孔ＴＨを通過するとロック爪２１が弾性復帰して車両パネルＰが係止段部２１ｂに接触状態となる。この係止段部２１ｂの接触状態においてグロメット１は、他方側への移動が規制された状態となる。なお、一方側への移動についてはリップ部１１ｂが規制する。すなわち、グロメット１は、ロック爪２１の係止段部２１ｂとリップ部１１ｂとに挟まれるようにして車両パネルＰの貫通孔ＴＨに取付状態となる。
【００１７】
図４は、第１実施形態に係るグロメット１を示す斜視図である。上記した複数の縮径筒部１２は、図２に示すように、収束させた場合に外形状が略円形とされている。すなわち、２つの縮径筒部１２をまとめた場合において、縮径筒部１２の筒軸方向に沿って平面視したときに、まとめた縮径筒部１２の束が外形略円形となる。なお、ここでいう円形とは、真円に限らず、楕円や長円等を含む概念である。また、本実施形態において各縮径筒部１２は、略円形を均等に分割した構造（すなわち略同一形状）となっているが、特にこれに限らず、均等でなくともよい。
【００１８】
また、複数の縮径筒部１２のそれぞれは、隣接する他の縮径筒部１２側の側面に、当該隣接する他の縮径筒部１２に向かう方向（図４中の矢印参照）に略直交する平面１２ａを有している。
【００１９】
次に、図４を参照して本実施形態に係るグロメット１の作用を説明する。図４に示すように、作業者は複数の縮径筒部１２のそれぞれにワイヤーハーネスを挿通させた後にテープ巻きを行う。このとき、作業者は、複数の縮径筒部１２を把持する等して、縮径筒部１２同士を互いに近づく方向に移動させるようにしてまとめる。
【００２０】
ここで、各縮径筒部１２は、他の縮径筒部１２側に平面１２ａを有していることから、複数の縮径筒部１２がまとめられた場合に、平面１２ａ同士が対向することとなる。これにより、縮径筒部１２同士を図４に示す平面方向にズレ難くすることができる。
【００２１】
この状態において作業者は、２つの縮径筒部１２と、それぞれの縮径筒部１２に挿通されるワイヤーハーネスとをまとめてテープ巻きを行う。この際、縮径筒部１２毎にテープ巻きを行う必要がなく、また縮径筒部１２が上記平面方向にズレ難い状態で一括したテープ巻きを行うことができ、テープ巻きの作業性を向上させることができる。
【００２２】
このようにして、第１実施形態に係るグロメット１によれば、複数の縮径筒部１２は、当該複数の縮径筒部１２を互いに近接させた場合において、筒軸に沿って平面視したときの外形状が略円形とされ、隣接する他の縮径筒部１２に向かう方向に略直交する平面１２ａを有するため、複数の縮径筒部１２をまとめるようにして、複数の縮径筒部１２ごとテープ巻きを行い易くなる。従って、複数の縮径筒部１２を備える場合において、テープ巻きの作業性を向上させることが可能なグロメット１を提供することができる。
【００２３】
次に、本発明の第２実施形態を説明する。第２実施形態に係るグロメット１は第１実施形態のものと同様であるが、一部構成が異なっている。以下、第１実施形態との相違点を中心に説明する。
【００２４】
図５は、第２実施形態に係るグロメットアウター１０を示す斜視図である。図５に示すように、第２実施形態に係るグロメットアウター１０は、第１実施形態のものと同様であるが、それぞれの縮径筒部１２の平面１２ａにリブ１２ｂが形成されている点で第１実施形態のものと相違する。リブ１２ｂは、図５に示すように、筒軸方向に直交する方向に延在するものであって、縮径筒部１２の先端側に設けられている。
【００２５】
第２実施形態に係るグロメット１は、上記のようなリブ１２ｂを有するため、複数の縮径筒部１２がまとめられる際、縮径筒部１２同士が筒軸方向に大きくズレようとした場合であっても、対向する平面１２ａに設けられるリブ１２ｂ同士が接触して筒軸方向へのズレを抑えることができる構成となっている。
【００２６】
このようにして、第２実施形態に係るグロメット１によれば、第１実施形態と同様に、テープ巻きの作業性を向上させることが可能なグロメット１を提供することができる。
【００２７】
さらに、第２実施形態によれば、複数の縮径筒部１２それぞれは、平面１２ａに筒軸方向に直交する方向に延在するリブ１２ｂを有する。このため、複数の縮径筒部１２をまとめるようにして複数の縮径筒部１２ごとテープ巻きを行う場合に、縮径筒部１２が他の縮径筒部１２に対して筒軸方向にズレてしまうことをリブ１２ｂが抑えることとなる。従って、より一層縮径筒部１２同士がズレ難い状態でテープ巻き作業を行うことができる。
【００２８】
次に、本発明の第３実施形態を説明する。第３実施形態に係るグロメット１は第１実施形態のものと同様であるが、一部構成が異なっている。以下、第１実施形態との相違点を中心に説明する。
【００２９】
図６は、第３実施形態に係るグロメットアウター１０を示す斜視図である。図６に示すように、第３実施形態に係るグロメットアウター１０は、第１実施形態のものと同様であるが、それぞれの縮径筒部１２の平面１２ａにリブ１２ｃが形成されている点で第１実施形態のものと相違する。リブ１２ｃは、第２実施形態のものと異なり、筒軸方向に延在するものである。
【００３０】
第３実施形態に係るグロメット１は、上記のようなリブ１２ｃを有するため、複数の縮径筒部１２がまとめられる際、縮径筒部１２同士が上記平面方向に大きくズレようとした場合であっても、対向する平面１２ａに設けられるリブ１２ｃ同士が接触して、上記平面方向へのズレを抑えることができる構成となっている。
【００３１】
このようにして、第３実施形態に係るグロメット１によれば、第１実施形態と同様に、テープ巻きの作業性を向上させることが可能なグロメット１を提供することができる。
【００３２】
さらに、第３実施形態によれば、複数の縮径筒部１２それぞれは、平面１２ａに筒軸方向に延在するリブ１２ｃを有する。このため、複数の縮径筒部１２をまとめるようにして複数の縮径筒部１２ごとテープ巻きを行う場合に、縮径筒部１２が他の縮径筒部１２に対して上記平面方向にズレてしまうことをリブ１２ｃが抑えることとなる。従って、より一層縮径筒部１２同士がズレ難い状態でテープ巻き作業を行うことができる。
【００３３】
次に、本発明の第４実施形態を説明する。第４実施形態に係るグロメット１は第１実施形態のものと同様であるが、構成及び処理内容が一部異なっている。以下、第１実施形態との相違点を中心に説明する。
【００３４】
図７は、第４実施形態に係るグロメットアウター１０を示す斜視図である。図７に示すように、第４実施形態に係るグロメットアウター１０は、第１実施形態のものと同様であるが、複数の縮径筒部１２間の谷部１２ｄが側面視してＶ字状とされている点で第１実施形態のものと相違する。
【００３５】
第４実施形態に係るグロメット１は、縮径筒部１２間の谷部１２ｄがＶ字状とされているため、複数の縮径筒部１２がまとめられる際、各筒部１２の倒れ込み角度を考慮した形状となり、より一層縮径筒部１２同士をズレ難くすることができる構成となっている。
【００３６】
このようにして、第４実施形態に係るグロメット１によれば、第１実施形態と同様に、テープ巻きの作業性を向上させることが可能なグロメット１を提供することができる。
【００３７】
さらに、第４実施形態によれば、複数の縮径筒部１２間の谷部１２ｄは、側面視してＶ字状とされているため、複数の縮径筒部１２をまとめるようにして複数の縮径筒部１２ごとテープ巻きを行う際の各縮径筒部１２の倒れ込みを考慮した形状となり、より一層縮径筒部１２同士がズレ難い状態でテープ巻き作業を行うことができる。
【００３８】
以上、実施形態に基づき本発明を説明したが、本発明は上記実施形態に限られるものではなく、本発明の趣旨を逸脱しない範囲で、変更を加えてもよいし、各実施形態同士の技術を組み合わせてもよい。さらには、周知及び公知の技術を組み合わせてもよい。
【００３９】
例えば、上記実施形態においてグロメット１はグロメットアウター１０とグロメットインナー２０とを備えているが、これに限らず、グロメットインナー２０を備えないタイプのグロメットに適用されてもよい。
【００４０】
さらに、上記実施形態において縮径筒部１２は２つであるが、これに限らず、３つ又は４つ以上であってもよい。図８は、縮径筒部１２が３つである場合の例を示す斜視図であり、図９は、縮径筒部１２が４つである場合の例を示す斜視図である。
【００４１】
図８及び図９に示すグロメットアウター１０においても、３つ又は４つの縮径筒部１２を収束させた場合に筒軸に沿って平面視したときの外形状が略円形とされている。また、３つ又は４つの縮径筒部１２それぞれは、隣接する他の縮径筒部１２側の側面に、隣接する他の縮径筒部１２に向かう方向に略直交する平面を有している。更に図示を省略するが、これらのグロメットアウター１０においてもリブ１２ｂ等を備えていてもよい。このような構造であっても、図１〜図７を参照して説明した場合と同様の効果を得ることができるからである。
【符号の説明】
【００４２】
１      ：グロメット
１２    ：縮径筒部（筒部）
１２ａ  ：平面
１２ｂ，１２ｃ  ：リブ
１２ｄ  ：谷部
Ｐ      ：車両パネル
ＴＨ    ：貫通孔
【図１】
2019121583.tif 000003
【図２】
2019121583.tif 000004
【図３】
2019121583.tif 000005
【図４】
2019121583.tif 000006
【図５】
2019121583.tif 000007
【図６】
2019121583.tif 000008
【図７】
2019121583.tif 000009
【図８】
2019121583.tif 000010
【図９】
2019121583.tif 000011
【図１０】
2019121583.tif 000012